(57)【要約】【課題】  本発明は傾斜式ロールを有するエンコーダー構造を提供する。【解決手段】  ユーザーからの操作を受信するロールと、前記ロールを前記収納スペースに回転式に設置したロール台座と、多動作のスイッチとを含む。単一の多動作スイッチを使用して複数のスイッチ信号を生み出す。【選択図】図４
2008130065.tif 000002
【特許請求の範囲】
【請求項１】
ユーザーからの操作を受信するロールと、
収納スペースを有し前記ロールを前記収納スペースに回転式に設置しさらに溝孔を有するロール台座と、
トリガーボタンを有し前記トリガーボタンを前記溝孔に入れ込む多動作のスイッチとを含むことを特徴とする傾斜式ロールを有するエンコーダー構造。
【請求項２】
前記ロールの２箇所の表面にそれぞれシャフトを伸ばすことを特徴とする請求項１に記載する傾斜式ロールを有するエンコーダー構造。
【請求項３】
前記ロール台座はさらに、２面の側壁であって前記２面の側壁の間に前記収納スペースを形成して前記ロールをその中に収納するものと、
それぞれ前記２面の側壁に設置し前記ロールの前記２個のシャフトを支持し、前記ロールを前記ロール台座で回転させる二つのシャフトの支持部と、
前記ロール台座の一端から伸ばす第一ロール台座シャフトと、
前記ロール台座の第二端から伸ばする第二ロール台座シャフトであって、前記溝孔は前記第二ロール台座シャフトに設置するものを含むことを特徴とする請求項２に記載する傾斜式ロールを有するエンコーダー構造。
【請求項４】
さらに支持柱を含み、前記支持柱は前記第一ロール台座シャフトをその中に収納するように凹部を含むことを特徴とする請求項１に記載する傾斜式ロールを有するエンコーダー構造。
【請求項５】
前記多動作のスイッチは３動作のスイッチであることを特徴とする請求項１に記載する傾斜式ロールを有するエンコーダー構造。
【請求項６】
前記動作のスイッチは５動作のスイッチであることを特徴とする請求項１に記載する傾斜式ロールを有するエンコーダー構造。
【発明の詳細な説明】
【技術分野】
【０００１】
本発明はエンコーダー構造に関し、特に傾斜式ロールを有するエンコーダー構造に関する。
【背景技術】
【０００２】
ユーザーはホームページを閲覧する時等マウス若しくはキーボード等の入力装置によってコンピューターを操作する際、常にマウス若しくはキーボード上に設置されたロールを使用して特定の制御信号を発生させ、ユーザーは前後にロールを指で動かすだけでホームページ画面を上下にスクロールさせる効果を生み出すことが出来る。しかし、全てのコンピュータースクリーンの画面（若しくは写真）が何れも上下にスクロールする方式で完璧に閲覧できるわけではなく、これらの画面にはさらに左右両側に表示されていない部分が含まれている可能性がある。
【０００３】
ユーザーがロールを直接操作するとコンピュータースクリーン上のホームページ画面に水平スクロールの効果が生ずるように、左右に傾斜可能なロールモジュールが提示されマウス若しくはキーボード等の入力装置に応用されている。図１並びに図２は、従来の傾斜式ロールモジュールを有するマウス１の外観立体図及び傾斜式ロールモジュールの立体構造図であって、傾斜式ロールモジュール１１のロール１２は、ユーザーが操作するためにマウス本体１０の開口１０１に部分的に突出している。この種の傾斜式ロールモジュール１１はユーザーが前後に指で動かす（矢印Ｆ-Ｂ方向で示す）ことでロールを回転させて制御信号を発生させる以外に、さらにユーザーに下向きに押す（矢印Ｄ方向で示す）或いは左右にロール１２を指で動かす（矢印Ｌ-Ｒ方向で示す）方式で別途三種類の制御信号を発生させる。
【０００４】
図２は図１の傾斜式ロールモジュール１１の立体構造図を示している。まず、傾斜式ロールモジュール１１の主な構成は、ロール１２、ロール回転シャフト１３、載せ物１４、収納部１５１を有する支持フレーム１５及び載せ物１４の左右両側及び下方にそれぞれ設置した三個のスイッチ１６Ａ、１６Ｂ及び１６Ｃである。載せ物１４にはシャフト収納部１４１を形成してロール回転シャフト１３と連結し、ロール１２を載せ物１４内で回転させる。
【０００５】
引き続いて図２では、傾斜式ロールモジュール１１はそれぞれ載せ物１４の左右両側に側翼１４２Ａ、１４２Ｂを形成し、載せ物１４の左右両側にあるスイッチ１６Ａ及び１６Ｂを側翼１４２Ａ、１４２Ｂの下方に据え付ける。このほかに、傾斜式ロールモジュール１１もそれぞれ載せ物１４の前後両端にシャフト１４３Ａ、１４３Ｂを形成し、シャフト１４３Ａは支持フレーム１５の収納部１５１と組み合わせにして、回転可能な状態を維持しつつ、また他方のシャフト１４３Ｂは直接スイッチ１６Ｃのトップに置く。こうしてユーザーが左右にロール１２を指で動かすと、載せ物１４は支持フレーム１５の収納部１５１及びスイッチ１６Ｃのトップを二つの支点として左右の動きを生じ、側翼１４２Ａ或いは１４２Ｂはスイッチ１６Ａ或いは１６Ｂを駆動させる。ユーザーが下向きにロール１２を押すと、載せ物１４のシャフト１４３Ｂは支持フレーム１５の収納部１５１が支点となって下向きに移動してスイッチ１６Ｃを駆動させることができる。
【０００６】
しかしながら、第一種の従来の傾斜式ロールモジュールには下記の問題点がある。ユーザーがロール１２を操作していないとき、載せ物１４のシャフト１４３Ｂはスイッチ１６Ｃのトップに接触しているだけで、スイッチ１６Ｃを駆動させておらず、ユーザーが下向きにロール１２を押すと、載せ物１４のシャフト１４３Ｂはスイッチ１６Ｃを駆動させる。しかし、このときのロール１２と載せ物１４は左右に振れる状態にあるため、ユーザーが手を滑らしたりロール１２を下向きに押す角度を保っていない等の容易な原因によってロールが左右に傾斜し、載せ物１４の側翼１４２Ａ或いは１４２Ｂがスイッチ１６Ａ或いは１６Ｂを駆動させて、マウス１が本来出力すべき制御信号が中断してしまうかユーザーが予期しない制御信号を出力することとなる。
【０００７】
従来の第一種傾斜式ロールモジュールの欠点を改善するべく、本出願人は中華民国９５年１月１０日に「傾斜式ロールモジュールを有する入力装置」という名称の中華民国第９５１００８７５号発明特許申請文書を提出した。
【０００８】
図３は中華民国第９５１００８７５号発明特許申請文書の概略図である。第９５１００８７５号発明特許申請文書の主な特徴は傾斜式可能なロールモジュール２１において載せ物24の下に一対の組み合わさるとロックするストッパー２７、２８を設置し、ユーザーが下向きにロール２２を押してスイッチ２６Ｃを駆動させると、載せ物２４に設置されたストッパー２７も下向きに移動して他のストッパー２８とロックすることで、載せ物２４は左右に振れ動くことが出来なくなり、或いは載せ物２４を元々左右に振れた程度に抑える。こうして載せ物２４は他のスイッチ２６Ａ若しくは２６Ｂを駆動させることはなくなるのである。ユーザーが下向きにロール２２を押すのを止めると、載せ物２４はスイッチ２６Ｃが上向きに押されることで上向きに移動するが、このときストッパー２７は他のストッパー２８とのロックから解除されて、載せ物２４は元の自由に左右に振れ動く状態に戻るわけである。
【０００９】
図３の第９５１００８７５号発明特許申請文書は既に図２の従来の傾斜式ロールモジュールの欠点を解決しているが、図２及び図３の傾斜式ロールモジュールには何れもロールの両側にそれぞれ一個のスイッチを設けて前記２個のスイッチを駆動させる構造設計が必要である。このことは従来の傾斜式ロールモジュールをマウス内に組み込むとかなりな体積を占める上に、部品も多いので組み込み時間も相当かけないとスイッチを駆動させる機構及びスイッチを正確な位置に取り付けられないのである。
【００１０】
このため構造が一層簡素化した傾斜式ロールモジュールを有するエンコーダー構造が必要になるのである。
【発明の開示】
【発明が解決しようとする課題】
【００１１】
本発明の主な目的は傾斜式ロールを有するエンコーダー構造を提供することにあり、多動作のスイッチを使用することで構造が簡単で且つ組立てが容易な傾斜式ロールを有するエンコーダー構造を提供する。
【課題を解決するための手段】
【００１２】
本発明は傾斜式ロールを有するエンコーダー構造を提供し、それにはユーザーからの操作を受信するロールと、収納スペースを有し、前記ロールを前記収納スペースに回転式に設置し、さらに溝孔を有するロール台座、及びトリガーボタンを有し、前記トリガーボタンを前記溝孔に入れ込む多動作のスイッチとを含む。好ましい態様として、前記ロールの２箇所の表面にそれぞれシャフトを伸ばす。
【００１３】
好ましい態様として、前記ロール台座はさらに、２面の側壁であって、前記２面の側壁の間に前記収納スペースを形成して前記ロールをその中に収納するものと、それぞれ前記２面の側壁に設置し、前記ロールの前記２個のシャフトを支持し、前記ロールを前記ロール台座で回転させる二つのシャフトの支持部と、前記ロール台座の一端から伸ばす第一ロール台座シャフトと、前記ロール台座の第二端から伸ばす第二ロール台座シャフトであって、前記溝孔は前記第二ロール台座シャフトに設置するものを含む。
【００１４】
好ましい態様として、前記傾斜式ロールを有するエンコーダー構造は、さらに支持柱を含み、前記支持柱は前記第一ロール台座シャフトをその中に収納するように凹部を含む。好ましい態様として、前記多動作のスイッチは３動作のスイッチ若しくは５動作のスイッチである。
【発明を実施するための最良の形態】
【００１５】
図４中Ａ及びＢは本発明の傾斜式ロールを有するエンコーダー構造の二つの角度における好ましい実施例の分解図である。
【００１６】
本発明の傾斜式ロールを有するエンコーダー構造２００は、ロール２０１、ロール台座２０２、支持柱２０３及び多動作のスイッチ２０４を含む。ロール２０１の二箇所の表面にはそれぞれシャフト２０１Ａを伸ばしている。ロール台座２０２は2面の側壁２０２Ａ、収納スペース２０２Ｂを含み、２つのシャフト支持部２０２Ｃはそれぞれ前記２面の側壁２０２Ａに設けられ、第一ロール台座シャフト２０２Ｄは前記ロール台座２０２の一端より伸び、第二ロール台座シャフト２０２Ｅは前記ロール台座２０２の第二端より伸びている。このほか、前記第二ロール台座シャフト２０２Ｅは溝孔２０２Ｅ１を含む。支持柱２０３は凹部２０３Ａを含む。多動作のスイッチ２０４は前記第二ロール台座シャフト２０２Ｅ下方に設置され、前記多動作のスイッチ２０４はトリガーボタン２０４Ａを具える。
【００１７】
このほか、本発明の傾斜式ロールを有するエンコーダー構造２００は、マウス内に取り付けられ、例えばマウス内の回路基板３００に取り付けられる。当然ロール台座２０２の側壁２０２Ａにエンコーダー台座２０２Ｆを伸ばして、前記台座に機械式エンコーダー（図示せず）を収納する。
【００１８】
図５中Ａ及びＢは多動作のスイッチ２０４の２つの実施例の概略図である。本発明において多動作のスイッチはＡが示すように、３動作のスイッチであるか若しくはＢが示すように５動作のスイッチである。Ａの３動作のスイッチの特性は、３動作のスイッチ２０４のトリガーボタン２０４Ａを操作するだけで３つのトリガー信号を発生させることができる。トリガーボタン２０４Ａはそれぞれ矢印番号Ｒ１、Ｒ２及びＲ３方向へ力が加わると、スイッチ２０４はそれぞれ第一、第二及び第三スイッチ信号を発生させる。外部からの力が無くなると、トリガーボタン２０４Ａは力を受ける前の元の位置まで戻る。換言すると、単一の３動作のスイッチ２０４は３つのスイッチ信号を発生させることができるのに対し、前述した従来のスイッチは１つのトリガー信号しか発生させることができない。また、Ｂは１個の５動作のスイッチ２０５を表示している。Ａの３動作のスイッチ２０４の原理と同様、５動作のスイッチ２０５のトリガーボタン２０５ＡをそれぞれＲ１、Ｒ２、Ｒ３、Ｒ４及びＲ５の方向に傾けさえすれば５つのスイッチ信号を発生させることができる。
【００１９】
図６は図４のＡ及びＢの構成図である。下記に図４並びに図６により本発明の傾斜式ロールを有するエンコーダー構造の構成及び操作概略図について説明する。
【００２０】
ロール２０１はロール台座２０２の２面の側壁２０２Ａ間の収納スペース２０２Ｂ内に置かれ、ロール台座２０２のシャフト支持部２０２Ｃはロール２０１のシャフト２０１Ａを受け、またロール２０１は回転可能な方式でロール台座２０２内に据え付けられる。ロール台座２０２の第一ロール台座シャフト２０２Ｄは支持柱２０３の凹部２０３Ａ内に固定され、ロール台座２０２の第二ロール台座シャフト２０２Ｅは多動作のスイッチ２０４の上端に位置し、多動作のスイッチ２０４のトリガーボタン２０４Ａは第二ロール台座シャフト２０２Ｅの溝孔２０２Ｅ１内に入れ込む。多動作のスイッチ２０４は回路基板３００上に固定される。
【００２１】
傾斜式ロールを有するエンコーダー構造２００はマウス内に設置され、ユーザーが指で前記ロール２０１を回転させることができるように前記ロール２０１はその一部分がマウスケース表面に突出している。
【００２２】
ユーザーがロール２０１を回転させるとエンコーダー台座２０２Ｆ内にある機械式のエンコーダーに働きかけて第三シャフトエンコーダー信号を発生させて、スクロールバーのスクロールを制御する。ユーザーがロール２０１を下に押すとロール台座２０２を下方移動させ、ロール台座２０２の第二台座シャフト２０２Ｅはスイッチ２０４のトリガーボタン２０４Ａ（トリガーボタン２０４ＡもまたＲ１方向の力を受ける）を押して第一スイッチ信号を発生させる。ユーザーがロール２０１をＲ２方向へ指で動かすと、これに連動してロール台座２０２に入れ込まれた第二ロール台座シャフト２０２Ｅの溝孔２０２Ｅ１内のトリガーボタン２０４Ａは、Ｒ２方向へ傾斜して第二スイッチ信号を発生させる。同様にロール２１をＲ３方向へ指で動かすとトリガーボタン２０４ＡをＲ３方向へ傾斜させて、第三スイッチ信号を発生させるのである。
【００２３】
勿論３動作のスイッチの代わりに５動作のスイッチを使用することもできる。５動作のスイッチを使用する状況でロール２０１を操作することで、５つのスイッチ信号を発生させることができる。
【００２４】
上記の内容により従来の傾斜式ロール構造に比べて、本発明は１個の多動作のスイッチだけで、従来の傾斜式ロール構造の機能を達成することができ、しかも従来３個のスイッチを使用して生じたスイッチの誤動作の問題も生じないのである。
【００２５】
上記内容は本発明の好ましい実施例に過ぎず、本発明の特許申請範囲を限定するものではなく、また、本発明で開示した趣旨を逸脱しない範囲において完成した等価改変若しくは補正は、全て本案における特許申請の範囲内に含まれるものとする。
【図面の簡単な説明】
【００２６】
【図１】傾斜式ロールモジュールを有するマウスの概略図である。
【図２】従来の傾斜式ロールモジュールの概略図である。
【図３】中華民国第９５１００８７５号特許申請文書における傾斜式ロールモジュールの概略図である。
【図４】ＡとＢは本発明の傾斜式ロールモジュールを有するエンコーダー構造の分解図である。
【図５】Ａは３動作のスイッチの概略図、Ｂは５動作のスイッチの概略図である。
【図６】本発明の傾斜式ロールモジュールを有するエンコーダー構造の構成図である。
【符号の説明】
【００２７】
１          マウス
１０        マウス本体
１０１      開口
１１        傾斜式のロールモジュール
１２、２２、２０１  ロール
Ｆ、Ｂ、Ｄ、Ｌ、Ｒ、Ｒ１、Ｒ２、Ｒ３、Ｒ４、Ｒ５  方向
１３        ロール回転シャフト
１４、２４  載せ物
１４１      シャフト収納部
１４２Ａ、１４２Ｂ  フランカ
１４３Ａ、１４３Ｂ  シャフト
１５        支持フレーム
１５１      収納部
１６Ａ、１６Ｂ、１６Ｃ、２６Ａ、２６Ｂ、２６Ｃ  スイッチ
２１        傾斜式可能なロールモジュール
２７、２８  ストッパー
２００      エンコーダー構造
２０１Ａ    シャフト
２０２      ロール台座
２０２Ａ    側壁
２０２Ｂ    収納スペース
２０２Ｃ    支持部
２０２Ｄ    第一ロール台座シャフト
２０２Ｅ    第二ロール台座シャフト
２０２Ｅ１  溝孔
２０２Ｆ    エンコーダー台座
２０３      支持柱
２０３Ａ    凹部
２０４      多動作のスイッチ
２０４Ａ、２０５Ａ  トリガーボタン
３００      回路基板
２０５      ５動作のスイッチ
【図１】
2008130065.tif 000003
【図２】
2008130065.tif 000004
【図３】
2008130065.tif 000005
【図４】
2008130065.tif 000006
【図５】
2008130065.tif 000007
【図６】
2008130065.tif 000008